(57)【要約】【課題】画像データと無線タグデータとを対応付けて送受信可能な通信装置に関し、特に、送受信の対象である原稿の複写回数を制限し得る通信装置を提供する。【解決手段】ファクシミリ装置１は、送信原稿６１の送信に際し、操作パネル１７の操作に基づいて、相手先情報の入力を受け付ける（Ｓ１）。スタートキーの入力に基づいて、ファクシミリ装置１は、無線タグリーダ１５により送信原稿６１に付加された無線タグ６２の無線タグデータを読み取る（Ｓ２）。無線タグデータには、送信原稿６１の複写を許容する回数を示す複写回数データが格納されている。複写回数データの示す複写回数と、操作パネル１７により指定された相手先件数とを比較し、当該送信原稿６１の送信の可否を決定する（Ｓ５）。【選択図】図６
2008244880.tif 000002
【特許請求の範囲】
【請求項１】
原稿の画像データを読み取る読取手段と、
原稿に付加された無線タグから無線タグデータを読み出す無線タグ読取手段と、
前記読取手段により読み取られた画像データを送信する相手先を指定する相手先指定手段と、
前記相手先指定手段により指定された相手先へ、前記読取手段で読み取られた画像データを送信する送信手段と、
を備え、
前記無線タグデータに当該原稿の複写を許容する回数を示す複写回数データが含まれている場合、当該複写回数データに基づく複写回数が、前記相手先指定手段で指定された相手先の数を超えるか否かを判断する判断手段と、
前記判断手段の判断結果に基づいて、前記送信手段による送信を実行するか否かを決定する送信制御手段と、を備えることを特徴とする通信装置。
【請求項２】
請求項１記載の通信装置において、
前記判断手段により、当該原稿に係る複写回数が前記相手先指定手段により指定された相手先の数を超えると判断された場合、相手先の数が当該原稿に係る複写回数を超えることを報知する報知手段と、を備えることを特徴とする通信装置。
【請求項３】
請求項１又は２記載の通信装置において、
前記原稿の無線タグにおける複写回数データが示す複写回数を、現在の複写回数データが示す複写回数から前記相手先指定手段で指定された相手先の数を減算した複写回数に更新する更新手段と、を備えることを特徴とする通信装置。
【請求項４】
請求項１又は２記載の通信装置において、
前記原稿の無線タグにおける複写回数データを、当該送信後における原稿の複写を禁止する複写禁止データに更新する更新手段と、を備えることを特徴とする通信装置。
【請求項５】
請求項１又は２記載の通信装置において、
前記原稿に係る複写回数データが示す現在の複写回数から前記相手先指定手段で指定された相手先の数を減算した複写回数を示す複写回数データを含み、前記相手先の記録紙に付加された無線タグに書き込まれる無線タグ送信データを設定する設定手段と、
前記相手先指定手段で指定された相手先が、前記無線タグ送信データの受信能力を有しているか否かを検出する検出手段と、
を備え、
前記送信手段は、
前記検出手段により、当該相手先が無線タグ送信データの受信能力を有していると検出された場合に、前記読取手段により読み取られた原稿の画像データと、前記設定手段により設定された当該原稿の無線タグ送信データを含む送信データを、当該相手先へ送信することを特徴とする通信装置。
【請求項６】
請求項１又は２記載の通信装置において、
前記相手先における受信原稿の複写を禁止する複写禁止データを含み、前記相手先の記録紙に付加された無線タグに書き込まれる無線タグ送信データを設定する設定手段と、
前記相手先指定手段で指定された相手先が、無線タグ送信データの受信能力を有しているか否かを検出する検出手段と、
を備え、
前記送信手段は、
前記検出手段により、当該相手先が無線タグ送信データの受信能力を有していると検出された場合に、前記読取手段により読み取られた原稿の画像データと、前記設定手段により設定された当該原稿の無線タグ送信データを含む送信データを、当該相手先へ送信することを特徴とする通信装置。
【請求項７】
請求項５又は請求項６記載の通信装置において、
前記検出手段により、当該相手先が無線タグ送信データの受信能力を有していないと検出された場合に、前記原稿の画像データの送信を禁止する第１モードと、前記原稿の画像データのみを送信する第２モードと、を選択設定する選択手段と、
を備え、
前記送信制御手段は、
前記選択手段による第１モード又は第２モードの設定状況に応じて、送信手段による送信内容を決定することを特徴とする通信装置。
【請求項８】
請求項５乃至請求項７記載の通信装置において、
前記検出手段により、当該相手先が無線タグ送信データの受信能力を有していないと検出された場合に、当該原稿に係る画像データを加工する画像加工手段と、
を備え、
前記送信手段は、
前記画像加工手段により加工された画像データを、当該相手先に送信することを特徴とする通信装置。
【請求項９】
請求項１乃至請求項８記載の通信装置において、
当該原稿に基づく画像データの転送を許可するか否かを示す転送設定データが、当該原稿の無線タグデータに含まれている場合に、
前記設定手段は、
当該原稿に係る無線タグ送信データに、前記無線タグ読取手段で読み取られた転送設定データを付加することを特徴とする通信装置。
【請求項１０】
請求項３乃至請求項９に記載の通信装置において、
前記読取手段で読み取られる原稿が複数枚存在し、当該原稿に夫々無線タグが付加されている場合に、各原稿単位で、前記更新手段による複写回数データの更新と、前記設定手段による無線タグ送信データの設定を行う制御手段を備えることを特徴とする通信装置。
【請求項１１】
回線を介して、無線タグ送信データと画像データを含むデータを受信データとして受信する受信手段と、
前記受信データから、前記無線タグ送信データと、前記画像データとを区分する区分手段と、
前記区分手段により、前記データから区分された画像データを、無線タグが付加された記録紙に印字する印字手段と、
前記画像データが印字される記録紙の無線タグに対して、前記区分手段により区分された無線タグ送信データを書き込む書込手段と、
前記受信データを格納可能な記憶手段と、
前記記録紙に無線タグが付加されているか否かを判断する記録紙確認手段と、
前記記録紙確認手段により、記録紙に無線タグが付加されていると判断された場合、前記印字手段によって、当該記録紙に対する画像データの印字を行うと共に、前記書込手段によって、当該記録紙に係る無線タグに前記無線タグ送信データを書き込み、
前記記録紙確認手段により、記録紙に無線タグが付加されていないと判断された場合、前記受信手段により受信したデータを前記記憶手段に格納するように制御する受信制御手段と、を備えることを特徴とする通信装置。
【請求項１２】
請求項１１に係る通信装置において、
前記無線タグ送信データが受信した画像データに基づく受信原稿の複写を許容する回数を示す複写回数データを含む場合に、
前記書込手段は、
当該複写回数データを受信した画像データが印字される記録紙の無線タグに書き込むことを特徴とする通信装置。
【請求項１３】
請求項１１又は請求項１２記載の通信装置において、
前記受信手段により受信したデータを転送する転送機能が有効であるか否かを判別する転送モード判別手段と、
受信した無線タグ送信データに含まれる転送設定データが転送の許可を示し、且つ、前記転送モード判別手段により、転送機能が有効であると判別された場合に、
前記受信データを予め定められている転送先に転送すると共に、前記記憶手段に一時的に記憶されている当該データを消去する転送制御手段を備えることを特徴とする通信装置。
【請求項１４】
請求項１３記載の通信装置において、
受信した無線タグ送信データに含まれる転送設定データが転送の禁止を示し、且つ、前記転送モード判別手段により、転送機能が有効であると判別された場合に、
前記転送制御手段は、
前記受信手段により受信したデータに対し、前記記憶手段への格納のみを実行することを特徴とする通信装置。
【発明の詳細な説明】
【技術分野】
【０００１】
本発明は、画像データと無線タグデータとを対応付けて送受信可能な通信装置に関し、特に、送受信の対象である原稿の複写回数を制限し得る通信装置に関するものである。
【背景技術】
【０００２】
従来、原稿に付加された無線タグを利用し、当該原稿の複写回数を制限する技術が提案されている。例えば、特許文献１記載の複写装置では、原稿の無線タグから複写可能回数を示すデータを読み出し、当該複写可能回数に基づいて、当該原稿の複写を許可するか否かを決定している。
【特許文献１】特開２００６−０９４０３７号公報
【発明の開示】
【発明が解決しようとする課題】
【０００３】
ここで、特許文献１記載の複写装置は、複写という機能上、１台の複写装置の中で処理が完結するので、装置自体の機能及び状態（例えば、無線タグに対する読取、書込能力の有無や無線タグが付加された記録紙の有無）を容易に把握することができる。従って、当該複写装置では、原稿の無線タグから複写可能回数を読み出し、当該複写可能回数に基づく判断を行うだけで、容易に原稿の複写回数を制限し得る。
【０００４】
しかしながら、通信装置の場合、通信という機能上、送信側と受信側とで少なくとも２台の装置が必要となる。つまり、通信装置において、送受信の対象たる原稿の複写回数を制限するためには、相手先装置の無線タグに関する機能及び状態（例えば、無線タグに対する読取、書込能力の有無や無線タグが付加された記録紙の有無）を把握する必要が生じる。この点、１台の複写装置の中で処理が完結することが前提となるため、特許文献１記載の技術では対応することができなかった。
【０００５】
本発明は、前記従来における問題点を解消するためになされたものであり、画像データと無線タグデータとを対応付けて送受信可能な通信装置に関し、特に、送受信の対象である原稿の複写回数を送信側或いは受信側において適確に制限し得る通信装置を提供することを目的とする。
【課題を解決するための手段】
【０００６】
前記課題を解決するために成された請求項１に係る通信装置は、原稿の画像データを読み取る読取手段と、原稿に付加された無線タグから無線タグデータを読み出す無線タグ読取手段と、前記読取手段により読み取られた画像データを送信する相手先を指定する相手先指定手段と、前記相手先指定手段により指定された相手先へ、前記読取手段で読み取られた画像データを送信する送信手段と、を備え、前記無線タグデータに当該原稿の複写を許容する回数を示す複写回数データが含まれている場合、当該複写回数データに基づく複写回数が、前記相手先指定手段で指定された相手先の数を超えるか否かを判断する判断手段と、前記判断手段の判断結果に基づいて、前記送信手段による送信を実行するか否かを決定する送信制御手段と、を備えることを特徴とする。
【０００７】
ここでいう無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称されるものである。又、原稿に付加された無線タグとは、原稿に貼付された無線タグだけではなく、例えば、原稿に埋め込まれた無線タグも含む。
【０００８】
そして、請求項２記載の通信装置は、請求項１記載の通信装置において、前記判断手段により、当該原稿に係る複写回数が前記相手先指定手段により指定された相手先の数を超えると判断された場合、相手先の数が当該原稿に係る複写回数を超えることを報知する報知手段と、を備えることを特徴とする。
【０００９】
又、請求項３記載の通信装置は、請求項１又は２記載の通信装置において、前記原稿の無線タグにおける複写回数データが示す複写回数を、現在の複写回数データが示す複写回数から前記相手先指定手段で指定された相手先の数を減算した複写回数に更新する更新手段と、を備えることを特徴とする。
【００１０】
そして、請求項４記載の通信装置は、請求項１又は２記載の通信装置において、前記原稿の無線タグにおける複写回数データを、当該送信後における原稿の複写を禁止する複写禁止データに更新する更新手段と、を備えることを特徴とする。
【００１１】
又、請求項５記載の通信装置は、請求項１又は２記載の通信装置において、前記原稿に係る複写回数データが示す現在の複写回数から前記相手先指定手段で指定された相手先の数を減算した複写回数を示す複写回数データを含み、前記相手先の記録紙に付加された無線タグに書き込まれる無線タグ送信データを設定する設定手段と、前記相手先指定手段で指定された相手先が、前記無線タグ送信データの受信能力を有しているか否かを検出する検出手段と、を備え、前記送信手段は、前記検出手段により、当該相手先が無線タグ送信データの受信能力を有していると検出された場合に、前記読取手段により読み取られた原稿の画像データと、前記設定手段により設定された当該原稿の無線タグ送信データを含む送信データを、当該相手先へ送信することを特徴とする。
【００１２】
そして、請求項６記載の通信装置は、請求項１又は２記載の通信装置において、前記相手先における受信原稿の複写を禁止する複写禁止データを含み、前記相手先の記録紙に付加された無線タグに書き込まれる無線タグ送信データを設定する設定手段と、前記相手先指定手段で指定された相手先が、無線タグ送信データの受信能力を有しているか否かを検出する検出手段と、を備え、前記送信手段は、前記検出手段により、当該相手先が無線タグ送信データの受信能力を有していると検出された場合に、前記読取手段により読み取られた原稿の画像データと、前記設定手段により設定された当該原稿の無線タグ送信データを含む送信データを、当該相手先へ送信することを特徴とする。
【００１３】
又、請求項７記載の通信装置は、請求項５又は請求項６記載の通信装置において、前記検出手段により、当該相手先が無線タグ送信データの受信能力を有していないと検出された場合に、前記原稿の画像データの送信を禁止する第１モードと、前記原稿の画像データのみを送信する第２モードと、を選択設定する選択手段と、を備え、前記送信制御手段は、前記選択手段による第１モード又は第２モードの設定状況に応じて、送信手段による送信内容を決定することを特徴とする。
【００１４】
そして、請求項８記載の通信装置は、請求項５乃至請求項７記載の通信装置において、
前記検出手段により、当該相手先が無線タグ送信データの受信能力を有していないと検出された場合に、当該原稿に係る画像データを加工する画像加工手段と、を備え、前記送信手段は、前記画像加工手段により加工された画像データを、当該相手先に送信することを特徴とする。
【００１５】
また、請求項９記載の通信装置は、請求項１乃至請求項８記載の通信装置において、当該原稿に基づく画像データの転送を許可するか否かを示す転送設定データが、当該原稿の無線タグデータに含まれている場合に、前記設定手段は、当該原稿に係る無線タグ送信データに、前記無線タグ読取手段で読み取られた転送設定データを付加することを特徴とする。
【００１６】
そして、請求項１０記載の通信装置は、請求項３乃至請求項９に記載の通信装置において、前記読取手段で読み取られる原稿が複数枚存在し、当該原稿に夫々無線タグが付加されている場合に、各原稿単位で、前記更新手段による複写回数データの更新と、前記設定手段による無線タグ送信データの設定を行う制御手段を備えることを特徴とする。
【００１７】
請求項１１記載の通信装置は、回線を介して、無線タグ送信データと画像データを含むデータを受信データとして受信する受信手段と、前記受信データから、前記無線タグ送信データと、前記画像データとを区分する区分手段と、前記区分手段により、前記データから区分された画像データを、無線タグが付加された記録紙に印字する印字手段と、前記画像データが印字される記録紙の無線タグに対して、前記区分手段により区分された無線タグ送信データを書き込む書込手段と、前記受信データを格納可能な記憶手段と、前記記録紙に無線タグが付加されているか否かを判断する記録紙確認手段と、前記記録紙確認手段により、記録紙に無線タグが付加されていると判断された場合、前記印字手段によって、当該記録紙に対する画像データの印字を行うと共に、前記書込手段によって、当該記録紙に係る無線タグに前記無線タグ送信データを書き込み、前記記録紙確認手段により、記録紙に無線タグが付加されていないと判断された場合、前記受信手段により受信したデータを前記記憶手段に格納するように制御する受信制御手段と、を備えることを特徴とする。
【００１８】
又、請求項１２記載の通信装置は、請求項１１に係る通信装置において、前記無線タグ送信データが受信した画像データに基づく受信原稿の複写を許容する回数を示す複写回数データを含む場合に、前記書込手段は、当該複写回数データを受信した画像データが印字される記録紙の無線タグに書き込むことを特徴とする。
【００１９】
そして、請求項１３記載の通信装置は、請求項１１又は請求項１２記載の通信装置において、前記受信手段により受信したデータを転送する転送機能が有効であるか否かを判別する転送モード判別手段と、受信した無線タグ送信データに含まれる転送設定データが転送の許可を示し、且つ、前記転送モード判別手段により、転送機能が有効であると判別された場合に、前記受信データを予め定められている転送先に転送すると共に、前記記憶手段に一時的に記憶されている当該データを消去する転送制御手段を備えることを特徴とする。
【００２０】
又、請求項１４記載の通信装置は、請求項１３記載の通信装置において、受信した無線タグ送信データに含まれる転送設定データが転送の禁止を示し、且つ、前記転送モード判別手段により、転送機能が有効であると判別された場合に、前記転送制御手段は、前記受信手段により受信したデータに対し、前記記憶手段への格納のみを実行することを特徴とする。
【発明の効果】
【００２１】
請求項１記載の通信装置によれば、相手先指定手段で指定された相手先に対して、送信手段を介して、読取手段で読み取られた原稿の画像データを送信できる。当該原稿には、無線タグが付加されており、無線タグに格納されている無線タグデータは、無線タグ読取手段により読み取られる。
ここで、無線タグデータに複写回数データが格納されている場合には、判断手段により、当該複写回数データに基づく複写回数が、相手先指定手段で指定された相手先の数を超えるか否かが判断される。送信制御手段は、判断手段の判断結果に基づいて、送信手段による送信を実行するか否かを決定する。
【００２２】
即ち、請求項１に係る通信装置によれば、通信装置であっても、無線タグデータに格納されている複写回数データに基づいて、相手先に送信される画像データの送信先の数を制御・管理することができる。即ち、当該通信装置は、同一の画像データに基づく情報の通信回線を介した流出を制御・管理することができる。
【００２３】
請求項２記載の通信装置によれば、前記判断手段により、複写回数が前記相手先指定手段により指定された相手先の数を超えると判断された場合、報知手段により、相手先の数が当該原稿に係る複写回数を超えることが報知される。即ち、当該通信装置によれば、報知手段による報知に基づいて、ユーザは、情報（前記原稿に基づく画像データ）の流出に関する制御・管理を適切に行うことができる。
【００２４】
請求項３記載の通信装置によれば、更新手段により、前記原稿の無線タグにおける複写回数データが示す複写回数を、現在の複写回数データが示す複写回数から前記相手先指定手段で指定された相手先の数を減算した複写回数に更新することができる。即ち、当該通信装置は、更新手段により、当該原稿の無線タグに格納されている複写回数データを、その原稿を用いた通信を行った数に応じて更新することで、当該原稿自体から流出しうる情報についても、確実に情報の流出に関する制御・管理を行い得る。
【００２５】
請求項４記載の通信装置によれば、更新手段により、無線タグにおける複写回数データを、原稿送信後における原稿の複写を禁止する複写禁止データに更新できる。これにより、当該原稿に基づく送信データを送信した後、再度、同原稿に基づく送信データが送信され、情報が必要以上に流出することを防止しうる。特に、当該原稿が重要な情報を含んでいる場合に、複写禁止データに更新することで、重要な情報の流出を防止することができ、厳密な情報管理を行い得る。
【００２６】
請求項５記載の通信装置によれば、前記検出手段により、当該相手先が無線タグ送信データの受信能力を有していると検出された場合に、送信手段は、前記読取手段により読み取られた原稿の画像データと、前記設定手段により設定された当該原稿の無線タグ送信データを含む送信データを、当該相手先へ送信する。ここで、設定手段は、相手先の記録紙に付加された無線タグに書き込まれる無線タグデータを設定する。そして、当該無線タグデータには、複写回数データが含まれている。つまり、無線タグ送信データの受信能力を有している相手先においても、送信側から指定した複写回数データに基づく情報（受信データ）の流出に関する制御・管理を行い得るので、当該通信装置は、別の場所に存在する相手先に対しても、ユーザ所望の情報管理を行いうる。
【００２７】
請求項６記載の通信装置によれば、前記検出手段により、当該相手先が無線タグ送信データの受信能力を有していると検出された場合に、送信手段は、前記読取手段により読み取られた原稿の画像データと、前記設定手段により設定された当該原稿の無線タグ送信データを含む送信データを、当該相手先へ送信する。この時、設定手段は、複写禁止データを含む無線タグ送信データを設定する。つまり、無線タグ送信データの受信能力を有する相手先における受信データの更なる複写を禁止することができるので、この通信装置は、当該相手先からの情報の流出を禁止し、厳密な情報管理を行い得る。
【００２８】
請求項７記載の通信装置によれば、送信制御手段は、検出手段により、当該相手先が無線タグ送信データの受信能力を有していないと検出された場合に、選択手段による第１モード又は第２モードの設定状況に応じて、送信手段による送信内容を決定する。即ち、無線タグ送信データの受信能力がなく、受信した情報の流出に関する制御・管理が困難な相手先に対して、ユーザ所望の情報管理を行い得る。この点、第１モードの場合、当該相手先への画像データの送信が禁止され、第２モードの場合は、画像データのみが送信される。即ち、第１モード、第２モードを選択可能とすることで、当該通信装置は、無線タグ送信データの受信能力のない相手先に対する送信の要否を適宜選択することができ、送信しようとする画像データの内容や状況に応じた情報管理が可能となる。
【００２９】
請求項８記載の通信装置によれば、相手先が無線タグ送信データの受信能力を有していないと検出された場合、画像加工手段により、当該原稿に係る画像データが加工される。そして、送信手段は、当該相手先に対して、画像加工手段により加工された画像データを送信する。つまり、当該通信装置は、受信した情報の流出に関する制御・管理が困難な相手先には、原稿に係る画像データに対して所定の加工が施された画像データが送信されるので、相手先が無線タグ送信データの受信能力を有していない場合でも原稿に基づく画像データに関する情報管理を行うことができる。
【００３０】
請求項９記載の通信装置によれば、当該原稿の無線タグデータに転送設定データが含まれている場合に、設定手段は、当該原稿に係る無線タグ送信データに、前記無線タグ読取手段で読み取られた転送設定データを付加する。つまり、当該通信装置は、原稿に基づく画像データの転送を許可するか否かの設定を、相手先に反映させることができる。この結果、相手先において、送信した原稿に基づく画像データが勝手に転送される事態を防止することができ、当該原稿に基づく画像データに関する情報管理を十分に行うことができる。
【００３１】
請求項１０記載の通信装置によれば、前記読取手段で読み取られる原稿が複数枚存在し、当該原稿に夫々無線タグが付加されている場合、制御手段は、前記更新手段による複写回数データの更新と、前記設定手段による無線タグ送信データの設定を各原稿単位で行う。これにより、当該通信装置は、複写回数データに基づく情報（原稿に基づく画像データ）の流出に関する制御・管理を、各原稿単位で行うことができるので、当該原稿に係る情報に関し、厳密な管理を行うことができる。
【００３２】
請求項１１記載の通信装置によれば、受信制御手段は、記録紙確認手段により、記録紙に無線タグが付加されていると判断された場合、前記印字手段によって、当該記録紙に対する画像データの印字を行うと共に、前記書込手段によって、当該記録紙に係る無線タグに前記無線タグ送信データを書き込む。一方、前記記録紙確認手段により、記録紙に無線タグが付加されていないと判断された場合、当該通信装置は、前記受信手段により受信したデータを前記記憶手段に格納する。これにより、当該通信装置は、画像データのみが記録紙に記録される事態を防止することができ、原稿送信側（発信元）の意に反する情報（受信データ）の流出を防止することができる。
【００３３】
請求項１２記載の通信装置によれば、書込手段は、無線タグ送信データが複写回数データを含む場合に、当該複写回数データを記録紙の無線タグに書き込む。これにより、当該通信装置は、送信データの受信後において、その受信データに対する送信側の複写回数についての意図を無線タグに書き込まれた内容に基づいて把握することができる。従って、受信側である当該通信装置においても、送信側が意図する情報（受信データ）の流出に関する制御・管理を行い得る。
【００３４】
請求項１３記載の通信装置によれば、転送制御手段は、受信した無線タグ送信データに含まれる転送設定データが転送の許可を示し、且つ、前記転送モード判別手段により、転送機能が有効であると判別された場合、前記受信データを予め定められている転送先に転送すると共に、前記記憶手段に一時的に記憶されている当該データを消去する。これにより、当該通信装置は、送信側により、転送設定データが転送を許可していることを条件に受信データを転送するので、送信側の意に反した情報（受信データ）の流出を防止することができる。また、当該通信装置は、受信データをそのまま転送するので、送信側が情報を伝達したい相手まで確実に当該受信データを送信できる。更に、当該通信装置は、転送後に、記憶手段に一時記憶されている受信データを消去するので、転送後に当該通信装置から情報が流出することはなく、確実に送信側の意に沿った情報（原稿に基づく画像データ）の流出に関する制御・管理を行うことができる。
【００３５】
請求項１４記載の通信装置によれば、転送制御手段は、無線タグ送信データの転送設定データが転送の禁止を示し、且つ、転送モード判別手段により、転送機能が有効であると判別された場合に、受信手段により受信したデータに対し、前記記憶手段への格納のみを実行する。つまり、当該通信装置は、受信データに関し、無線タグの設定内容を優先し、記憶手段への格納のみを行い、受信データの転送を行うことはないので、送信側の意に沿った情報管理を行い得る。また、この場合に、当該受信データは記憶手段に格納されるので、当該受信データが失われることはない。
【発明を実施するための最良の形態】
【００３６】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。
図１に示すように、ファクシミリ装置１は、自動原稿送り装置２と、スキャナ部３と、プリンタ部４と、給紙トレイ部５とを有する。
【００３７】
自動原稿送り装置２は、原稿載置部２Ａを備えている。ファクシミリ送信される原稿はこの原稿載置部２Ａに原稿面を下向きにして載置される。そして、ユーザによりスタートキー（図示せず）が押下されると、その原稿は１ページずつ送られ、スキャナ部３による画像データの読み取りが行われる。スキャナ部３による読取後、当該原稿は、原稿排出口（図示せず）から排出される。
【００３８】
スキャナ部３は、無線タグリーダ１５と、スキャナ装置２２とを備えている。無線タグリーダ１５は、自動原稿送り装置２により送られてきた原稿に無線タグが付加されていた場合、無線によりその無線タグからデータを読み出す。無線タグリーダ１５は、本発明における無線タグ読取手段の一例である。また、スキャナ装置２２は、無線タグの有無に拘わらず、自動原稿送り装置２により送られる原稿の画像データを読み取る。スキャナ装置２２は、本発明における読取手段の一例である。
【００３９】
プリンタ部４は、無線タグライタ１６と、レーザプリンタ３０とを有する。無線タグライタ１６は、給紙トレイ部５から給紙される記録用紙に付加された無線タグに対し、無線によりデータ（後述する無線タグデータ等）を書き込む。当該無線タグライタ１６は、本発明における更新手段及び書込手段の一例である。レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。レーザプリンタ３０は、本発明に係る印字手段の一例である。
【００４０】
給紙トレイ部５は、第１給紙トレイ５１、第２給紙トレイ５２、第３給紙トレイ５３を備えている。そして、第１給紙トレイ５１〜第３給紙トレイ５３には、夫々、検出センサ５４が配設されている。この検出センサ５４は、第１給紙トレイ５１〜第３給紙トレイ５３の夫々に収納された記録用紙における無線タグの有無や当該無線タグの書き込み可能容量を検出する。検出センサ５４は、本発明に係る記録紙確認手段の一例である。
尚、この検出センサ５４は、積層された記録用紙の１枚に付加された無線タグの書き込み可能容量を検出する。
【００４１】
次に、本実施形態に係るファクシミリ装置１の制御系構成について、図面を参照しつつ詳細に説明する。図２は、ファクシミリ装置１の制御系構成を示すブロック図である。
ファクシミリ装置１には、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００４２】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。ＲＯＭ１２は、このファクシミリ装置１で実行される制御プログラムを格納した書換不能なメモリである。当該ＲＯＭ１２には、後述するファックス送信処理プログラム（図６、図７参照）、ファックス受信処理プログラム（図８参照）等の各種制御プログラムが格納されている。
【００４３】
ＲＡＭ１３は、ファクシミリ装置１の各動作の実行時に、各種のデータを一時的に記憶するためのメモリである。当該ＲＡＭ１３は、送信ファクシミリデータ記憶エリア１３１、送信無線タグデータサイズ記憶エリア１３２、無線タグデータ送信可能フラグ１３３、受信ファクシミリデータ記憶エリア１３４、サイズ情報記憶エリア１３５、受信無線タグデータサイズ記憶エリア１３６を備えている。
【００４４】
送信ファクシミリデータ記憶エリア１３１は、スキャナ装置２２により読み取られた原稿の画像データ及び無線タグリーダ１５で読み取られた無線タグデータにより構成されるファクシミリデータ６３が格納される記憶エリアである。
尚、ファクシミリデータ６３の構成及び無線タグデータの内容については、後に図面を参照しつつ詳細に説明する。
【００４５】
送信無線タグデータサイズ記憶エリア１３２は、無線タグリーダ１５によって読み取られた無線タグデータのデータサイズを、各ページ単位に格納する記憶エリアである。
【００４６】
無線タグデータ送信可能フラグ１３３は、ファクシミリ送信の相手先装置６０（図３参照）が、無線タグへデータを書き込む機能を有しているか否かを示すフラグである。本実施形態のファクシミリ装置１は、当該無線タグデータ送信可能フラグ１３３の記憶内容に基づいて、ファックス送信処理における送信方法を決定する。この点については、後に図面を参照しつつ詳細に説明する。
【００４７】
受信ファクシミリデータ記憶エリア１３４は、受信したファクシミリデータ６３が格納される記憶エリアである。当該受信ファクシミリデータ記憶エリア１３４に格納されたファクシミリデータ６３は、後述するファックス受信処理プログラムに従って消去される。
【００４８】
サイズ情報記憶エリア１３５は、送信元ファクシミリ装置から通知されたサイズ情報を記憶するエリアである。ここで、送信元ファクシミリ装置から通知されるサイズ情報は、
ファクシミリデータ６３に無線タグデータが含まれないことを示すサイズ情報と、ファクシミリデータ６３に含まれる無線タグデータのデータサイズを示すサイズ情報とが存在する。
【００４９】
受信無線タグデータサイズ記憶エリア１３６は、ファクシミリデータ６３の送信元ファクシミリ装置から受信した、各ページ単位の無線タグデータのデータサイズを格納する記憶エリアである。
【００５０】
フラッシュメモリ１４は、書換可能な不揮発性のメモリである。そして、フラッシュメモリ１４には、送信データ保存メモリ１４１が形成されている。この送信データ保存メモリ１４１には、相手先装置６０へのファクシミリデータの送信が禁止された場合に（Ｓ２１：ＮＯ）、スキャナ装置２２により読み取られた画像データが格納される（Ｓ２７）。この点については、後に図面を参照しつつ詳細に説明する。
【００５１】
図２に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、検出センサ５４、操作パネル１７、ＬＣＤ１８、アンプ２７を備えている。尚、これらの周辺装置も、バスライン２５を介して相互に接続されている。
【００５２】
無線タグリーダ１５は、上述したように、原稿の無線タグに格納されている無線タグデータを読み出す装置であり、本発明の無線タグデータ読取手段に相当する。そして、無線タグライタ１６は、無線タグに対して、無線タグデータを書き込む装置であり、本発明の更新手段、書込手段に相当する。
【００５３】
そして、モデム２０は、ファクシミリデータ６３を変調・復調して伝送すると共に伝送制御用の各種手順信号を送受信する装置である。バッファ２１は、相手側ファクシミリ装置との間で送受信される符号化されたファクシミリデータを含むデータを一時的に格納する記憶手段である。
【００５４】
スキャナ装置２２は、上述したように、自動原稿送り装置２の一部を構成し、原稿載置部２Ａからページ単位で送られる原稿を読み取り、ページ単位の画像データを生成する。即ち、スキャナ部３は、本発明における読取手段を構成する。
【００５５】
符号化部２３は、ファクシミリデータ６３の送信に際し、ファクシミリデータ６３を符号化する部分である。そして、復号化部２４は、バッファ２１に記憶された受信データを読み出し、これを復号化する部分である。
【００５６】
レーザプリンタ３０は、上述したように、第１給紙トレイ５１〜第３給紙トレイ５３に格納された記録紙に対して、復号化部２４で復号化された画像データを印字する装置である。即ち、レーザプリンタ３０は、本発明における印字手段を構成する。
そして、検出センサ５４は、第１給紙トレイ５１〜第３給紙トレイ５３に配設されており、各給紙トレイに格納された記録紙における無線タグの有無を検出するセンサである。
【００５７】
操作パネル１７は、複数の数字キー及び上述したスタートキー等の複数のキーで構成された操作部である。操作パネル１７を構成する各キーの操作が行われると、入力信号がＣＰＵ１１に送信され、入力信号に基づく制御が行われる。例えば、ファクシミリ装置１においては、数字キーを操作することにより、ファクシミリ送信の相手先である相手先装置６０を指定することができる。従って、当該操作パネル１７は、本発明における相手先指定手段に相当する。
【００５８】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８には、操作パネル１７により相手先を指定した場合に、数字キーの入力に基づく相手先番号が表示される。又、ＬＣＤ１８には、後述する回数エラー発生時に、当該回数エラーを報知する表示が行われる（Ｓ８）。従って、ＬＣＤ１８は、本発明における報知手段に相当する。
又、アンプ２７には、スピーカ２８が接続され、呼出音などをこのスピーカ２８から出力する。
【００５９】
更に、ファクシミリ装置１は、ＮＣＵ１９、電話回線４１を介して、交換機２９に接続されている。この交換機２９は、電話回線４２を介して、相手先装置側の交換機に接続され、更に電話回線を介して相手先装置に接続されている。従って、ファクシミリ装置１は、電話回線４１、交換機２９、電話回線４２等を介して、相手先装置６０（図３参照）とのファクシミリデータ６３の送受信を行うことができる。
【００６０】
次に、本実施形態に係るファクシミリ装置１におけるファクシミリデータ６３の送受信の概要について、図面を参照しつつ詳細に説明する。図３（ａ）は、ファクシミリ装置１と相手先装置６０との間で行われるファクシミリ送受信に関する説明図である。
尚、この図３（ａ）に示す相手先装置６０は、上述したファクシミリ装置１と同一の構成を有している。
【００６１】
図３（ａ）に示すように、ユーザがファクシミリ送信しようとする原稿（以下、送信原稿６１という）には、画像（図形、文字を含む）が形成されており、無線タグデータが格納可能な無線タグ６２が埋め込まれている。
そして、ユーザが送信原稿を原稿載置部２Ａにセットし、操作パネル１７のスタートキー（図示せず）を操作すると、原稿載置部２Ａにセットされた送信原稿は、１ページずつ、スキャナ部３の読取位置に送られる。
【００６２】
ここで、スキャナ装置２２に対し相対移動する送信原稿６１の移動経路には、無線タグリーダ１５によるデータ読出位置が設けられている。従って、自動原稿送り装置２により、送信原稿６１がスキャナ装置２２の読取位置で移動する過程で、無線タグリーダ１５は、当該送信原稿６１に付加された無線タグ６２の無線タグデータを読み出すことができる。
この結果、当該ファクシミリ装置１は、スキャナ装置２２による画像データの読取とほぼ同時に、無線タグリーダ１５による無線タグデータの読取を行うことができる。つまり、ユーザは、送信原稿６１を原稿載置部２Ａに載置し、スタートキーを操作する間便な作業を行うだけで、画像データ及び無線タグデータを、ファクシミリ装置１に読み取らせることができる。
【００６３】
尚、スキャナ装置２２や無線タグリーダ１５の配置関係は、これに限定されるものではなく、種々の対応が可能である。例えば、無線タグリーダが送信原稿６１の移動経路とは別に設けられていてもよい。この場合、無線タグの情報だけを必要に応じて先にまとめて読み取らせるといった使用形態も可能となる。
【００６４】
次に、スキャナ装置２２、無線タグリーダ１５により読み取られ、相手先装置６０に送信される１ページ分の送信原稿６１に係るファクシミリデータ６３の構成について、図面を参照しつつ詳細に説明する。図３（ｂ）は、１ページ分の送信原稿６１のデータ構成を示す説明図である。
【００６５】
上述したように、ファクシミリデータ６３は、１ページ単位の送信原稿６１に基づく画像データと、当該送信原稿６１（この場合、或る１ページ分を指す）の無線タグ６２から読み出された無線タグデータにより構成されている。即ち、ファクシミリデータ６３は、スキャナ装置２２で読み取られた画像データと、無線タグリーダ１５で読み出された無線タグデータとがページ単位で対応付けられて構成されている。
【００６６】
このように構成されたファクシミリデータ６３を相手先装置６０に送信すると、当該相手先装置６０は、ファクシミリデータ６３に含まれる画像データに基づいて、記録用紙７１（図３（ａ）参照）に画像を形成することができる。更に、相手先装置６０は、当該ファクシミリデータ６３に含まれる無線タグデータを、記録用紙７１に付加された無線タグ７２に書き込むことができる。即ち、相手先装置６０は、記録用紙７１及び無線タグ７２に、送信原稿６１と同一の情報をページ単位で再現することができる。
【００６７】
図３（ｂ）に示すように、１ページ分のファクシミリデータ６３は、画像データに先んじて、無線タグデータが送信されるように構成されている。この点、ファクシミリデータ６３は、常に、先に無線タグデータを送信するように構成されている。従って、無線タグデータのサイズを特定することができれば、受信したデータを無線タグデータと画像データに容易に区分することができる。
【００６８】
尚、本実施形態に係るファクシミリ装置１は、上述したファクシミリデータ６３を相手先装置６０に送信する場合、先ず、無線タグデータのサイズ６４に関するサイズ情報を相手先装置６０に送信する。そうすると、相手先装置６０は、受信したサイズ情報に基づいて、当該サイズ情報に対応する受信データの先頭から所定サイズのデータを、無線タグデータとして特定することができ、画像データと無線タグデータを確実に区分することができる。
【００６９】
次に、本実施形態に係る無線タグ、無線タグリーダ１５、無線タグライタ１６の構成について、図面を参照しつつ詳細に説明する。
先ず、無線タグ（無線タグ６２、無線タグ７２）の構成について説明する。この点、無線タグ６２と無線タグ７２は、同一の構成であるので、無線タグ６２の構成を詳細に説明し、無線タグ７２に関する説明は省略する。
【００７０】
図４（ａ）に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７を備えている。
アンテナ用コイル６２１は、共振コンデンサ６２２と並列に接続されて共振回路を構成し、無線タグリーダ１５又は無線タグライタ１６から送信される所定の高周波数の電力用電波振動を受信して、当該電力用電波信号を整流・平滑回路６２３に供給する。
【００７１】
整流・平滑回路６２３は、動力用電源回路を構成する回路である。そして、整流・平滑回路６２３は、共振回路から送信されてきた電力用電波信号を整流・平滑化して一定電圧の直流電力にしてＣＰＵ６２５等に供給する。
【００７２】
尚、無線タグリーダ１５又は無線タグライタ１６からの送信信号は、電力用電波信号に重畳して送信される。そして、当該送信信号は、変復調回路６２４により復調され、ＣＰＵ６２５に与えられる。
【００７３】
ＣＰＵ６２５は、ＲＯＭ６２６に記憶された動作プログラムに従って動作し、変復調回路６２４からの信号に応じた所定の処理を実行する。即ち、ＣＰＵ６２５は、受信したデータを無線タグデータとしてＥＥＰＲＯＭ６２７に書き込む書込処理や、ＥＥＰＲＯＭ６２７から無線タグデータを読み出し、変復調回路６２４により変調した後、アンテナ用コイル６２１により電波信号として送信する読出処理等を実行する。
【００７４】
尚、当該無線タグ６２において、整流・平滑回路６２３、変復調回路６２４、ＣＰＵ６２５、ＲＯＭ６２６、ＥＥＰＲＯＭ６２７は、ＩＣチップとされ、アンテナ用コイル６２１、共振コンデンサ６２２と共に送信原稿６１に埋め込まれている。この点、無線タグ６２と同一の構成である無線タグ７２についても、同様に、記録用紙７１に埋め込まれている。
【００７５】
次に、本実施形態に係る無線タグリーダ１５、無線タグライタ１６の構成について、図面を参照しつつ詳細に説明する。図４（ｂ）は、無線タグリーダ１５、無線タグライタ１６の構成を示すブロック図である。
【００７６】
図４（ｂ）に示すように、無線タグリーダ１５は、受信アンテナ用コイル１５１と、受信部１５２を備えて構成されている。従って、無線タグリーダ１５は、無線タグ６２から送信された電波信号を受信アンテナ用コイル１５１で受信できる。そして、無線タグリーダ１５は、受信アンテナ用コイル１５１で受信した電波信号を受信部１５２で復調することで、無線タグデータとして弁別する。これにより、無線タグリーダ１５は、無線タグ６２から無線タグデータを読み出すことができる。
【００７７】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信することができる。更に、無線タグライタ１６は、送信すべき無線タグデータを電力用電波信号に重畳するように送信部１６２で変調して送信アンテナ用コイル１６１から送信できる。これにより、無線タグライタ１６は、無線タグ７２に無線タグデータを書き込むことができる。
【００７８】
続いて、無線タグデータに含まれる各種データについて、図面を参照しつつ詳細に説明する。図５は、本実施形態における無線タグデータと、当該無線タグデータに含まれる各種データを示す説明図である。
図５に示すように、本実施形態において、無線タグデータには、複写回数データ、転送設定データ、タグ送信不能設定データ、受信側複写設定データが含まれている。
【００７９】
複写回数データは、当該送信原稿６１に係る画像データの複写回数を規定したデータである。ここで、本実施形態においては、一の相手先に対する１回のファクシミリ送信も１回の複写回数として計数される。通常の複写と同様に、ファクシミリ送信であっても、画像データに係る情報が複製される点で同様であるからである。
後述するように、この複写回数データが示す複写回数が「０」以下となった場合、原則的には、当該送信原稿６１のファクシミリ送信及びコピーを行うことはできない。
【００８０】
転送設定データは、当該送信原稿６１に係るデータの転送を許可するか否かが規定されたデータである。当該転送設定データが転送を許可する「許可設定」である場合、ファクシミリ装置１では、後述するファックス受信処理プログラムにおいて、既定の転送先へ当該データを転送することができる。一方、転送設定データが「禁止設定」である場合、ファクシミリ装置１は、ファックス受信処理プログラムで、既定の転送先への転送を行わず、フラッシュメモリ１４に当該データを保存する。
【００８１】
そして、タグ送信不能設定データは、ファクシミリ送信の相手先に「無線タグデータを受信し、無線タグへの書き込む能力（以下、無線タグデータ受信能力という）」を有していない場合に、当該送信原稿６１に係るデータの送信態様が既定されたデータである。
このタグ送信不能設定データには、３つの詳細設定が存在する。即ち、タグ送信不能設定データには、「送信禁止設定」、「送信実行設定」、「加工送信設定」の詳細設定が存在する。
【００８２】
「送信禁止設定」は、相手先に無線タグデータ受信能力がない場合に、送信原稿６１に係るデータの送信処理自体を停止する設定である。そして、「送信実行設定」は、相手先に無線タグデータ受信能力がない場合に、送信原稿６１の画像データのみを送信する設定である。又、「加工送信設定」は、相手先に無線タグデータ受信能力がない場合に、当該送信原稿６１の画像データに対して、画像加工処理（例えば、画質を落とす加工処理や、カラー画像をモノクロ画像に変更する加工処理）を施し、加工済の画像データを相手先に送信する設定である。
【００８３】
受信側複写設定データは、送信原稿６１に係るデータを相手先装置６０に送信した後、相手先装置６０側で当該データが記録された記録用紙７１の複写回数の設定が規定されたデータである。ここで規定されたデータが無線タグ７２に書き込まれることになる。
この受信側複写設定データにおいても、３つの詳細設定が存在する。即ち、受信側複写設定データには、「０回設定」、「１回設定」、「完全複製設定」が存在する。
【００８４】
「０回設定」は、相手先装置６０において、送信原稿６１に基づき記録された記録用紙７１の複写回数を「０回」とする設定である。従って、この場合には、当該記録用紙７１の無線タグ７２には、「複写回数：０回」を示す複写回数データが書き込まれる。そして、当該記録用紙７１は、複写することもできず、他の相手先にファクシミリ送信することもできない。
【００８５】
「１回設定」は、相手先装置６０において、送信原稿６１に基づき記録された記録用紙７１の複写回数を「１回」とする設定である。従って、この場合には、当該記録用紙７１の無線タグ７２には、「複写回数：１回」を示す複写回数データが書き込まれる。そして、当該記録用紙７１は、１回の複写又は、一の送信先に対する１回のファクシミリ送信が可能である。
そして、「完全複製設定」は、送信原稿６１に基づき記録された記録用紙７１の複写回数を、「当該送信原稿６１の現在の複写回数」とする設定である。この場合、送信原稿６１の無線タグ６２における複写回数は「０」に設定される。
【００８６】
これらの複写回数データ、転送設定データ、タグ送信不能設定データ、受信側複写設定データは、ユーザにより所望の態様で設定され、無線タグデータとして、無線タグ６２に書き込まれる。尚、無線タグ６２への書き込みは、ユーザが送信原稿６１を作成する際に行うように構成することも可能であるし、ファクシミリ装置１において、最初のファクシミリ送信前に実行するように構成することも可能である。
尚、受信側複写設定データのデータの種別は上記３種類に限定されるものではなく、他の設定を含むものであっても良い。更に、受信側複写設定データと、送信原稿６１の無線タグ６２の更新内容との対応関係も各種態様を取り得るものである。
【００８７】
次に、本実施形態に係るファクシミリ装置１のファックス送信処理プログラムについて、図面を参照しつつ詳細に説明する。図６、図７は、ファックス送信処理プログラムのフローチャートである。
【００８８】
原稿載置部２Ａに送信原稿６１をセットすることに伴って、ファックス送信処理プログラムの実行を開始すると、ＣＰＵ１１は、先ず、相手先情報入力処理（Ｓ１）を実行する。相手先情報入力処理（Ｓ１）では、ＣＰＵ１１は、操作パネル１７の操作に基づいて、ファクシミリ送信の相手先番号の入力を受け付ける。この時、ＣＰＵ１１は、複数の相手先番号の入力を受け付けることも可能である（一般的に同報送信と呼ばれる）。そして、操作パネル１７におけるスタートキーの入力に基づいて、ＣＰＵ１１は、相手先情報入力処理（Ｓ１）を終了し、Ｓ２に処理を移行する。
【００８９】
スタートキーの入力に基づいて、原稿載置部２Ａに載置された送信原稿６１は、自動原稿送り装置２により、スキャナ部３の読取位置へと送り出される。この時、当該読取位置へ送信原稿６１が到達するまでの間に、ＣＰＵ１１は、無線タグデータ読取処理（Ｓ２）を実行する。即ち、ＣＰＵ１１は、スキャナ部３の読取位置への移動経路近傍に配設されている無線タグリーダ１５により、当該送信原稿６１に付加された無線タグ６２から無線タグデータを取得する。
この時、ＣＰＵ１１は、無線タグデータのデータサイズを検出し、送信無線タグデータサイズ記憶エリア１３２に記憶する。
【００９０】
Ｓ３では、ＣＰＵ１１は、送信原稿６１の無線タグ６２に、無線タグデータが格納されているか否かについての判断を行う。無線タグデータが格納されている場合（Ｓ３：ＹＥＳ）、ＣＰＵ１１は、Ｓ５に処理を移行する。一方、無線タグデータが格納されていない場合（Ｓ３：ＮＯ）、ＣＰＵ１１は、Ｓ４に処理を移行する。尚、「無線タグデータが格納されていない場合」には、「送信原稿６１に無線タグ６２が付加されていない場合」も含まれる。
【００９１】
無線タグデータが格納されていない場合、ＣＰＵ１１は、原稿画像読取処理（Ｓ４）を実行する。原稿画像読取処理（Ｓ４）では、ＣＰＵ１１は、スキャナ部３により送信原稿６１の画像データを読み取る。そして、送信原稿６１の画像データを読み取った後、ＣＰＵ１１は、Ｓ１０に処理を移行する。
【００９２】
一方、無線タグデータが格納されていた場合（Ｓ５）、ＣＰＵ１１は、当該無線タグデータに含まれる複写回数データと、相手先情報入力処理（Ｓ１）で入力された相手先の数（以下、相手先件数という）に基づいて、複写回数データが示す複写回数が相手先件数以上であるか否かについての判断を行う。
【００９３】
送信原稿６１の複写回数が相手先件数以上である場合（Ｓ５：ＹＥＳ）、ＣＰＵ１１は、原稿画像読取処理（Ｓ６）を実行する。即ち、指定された相手先の数だけ、送信原稿６１に基づく画像データの送信を行ったとしても、複写回数データで規定された複写回数を越えないと判断される。そして、ＣＰＵ１１は、Ｓ４と同様に、送信原稿６１の画像データをスキャナ部３により取得する。この時、ＣＰＵ１１は、当該送信原稿６１の画像データをＳ２で読み取られた無線タグデータに関連付け、ファクシミリデータ６３として、送信ファクシミリデータ記憶エリア１３１に記憶する。
【００９４】
原稿画像読取処理（Ｓ６）の後、ＣＰＵ１１は、無線タグデータ更新処理を実行する（Ｓ７）。この無線タグデータ更新処理（Ｓ７）では、無線タグライタ１６により、無線タグ６２に格納されている複写回数データを更新する。具体的には、ＣＰＵ１１は、現在、複写回数データが示す複写回数から相手先情報入力処理（Ｓ１）で決定された相手先件数分を減算した値に、無線タグライタ１６を介して、当該送信原稿６１の複写回数を更新する。その後、ＣＰＵ１１は、Ｓ１０に処理を移行する。
【００９５】
尚、この時、ＣＰＵ１１は、受信側複写設定データにおける詳細設定に基づいて、送信原稿６１の複写回数を更新する。例えば、「１回設定」の場合には、ＣＰＵ１１は、相手先件数の夫々に対して、「１」を加算した値（即ち、「相手先件数の２倍」）を、現在の複写回数から減算した値に更新する。又、「０回設定」の場合には、例えば、複写回数データが「５」であり、２件相手先を指定して送信する場合には、複写回数データが「３」に更新されることになる。更に、「完全複製設定」の場合には、複写回数データは「０」に更新されることになる。
【００９６】
そして、送信原稿６１の複写回数が相手先件数未満である場合（Ｓ５：ＮＯ）、ＣＰＵ１１は、ＣＰＵ１１は、ＬＣＤ１８に「相手先件数が複写回数を超えている旨」を示す回数エラー報知表示を行い（Ｓ８）、当該送信原稿６１を原稿排出口（図示せず）から排出する。当該送信原稿６１を原稿排出口から排出した後、ＣＰＵ１１は、Ｓ１０へ処理を移行する。
【００９７】
これにより、ファクシミリ装置１は、不用意に情報（ここでは送信原稿６１に基づく画像データ）が流出することを防止することができ、十分な情報管理を行うことができる。又、ＬＣＤ１８で回数エラー報知表示を行うことで、ユーザは、回数エラーが生じたことを把握することができ、ファクシミリ送信に対する適切な対応をとることができる。例えば、送信原稿６１の送信先を減らして、制限されている複写回数に収まるように調整することも可能となる。
【００９８】
Ｓ１０に移行すると、ＣＰＵ１１は、原稿載置部２Ａに載置された送信原稿６１を全ページ読み取ったか否かを判断し、未だ全ページを読み取っていない場合（Ｓ１０：ＮＯ）、Ｓ２に処理を戻す。
【００９９】
こうして、送信原稿６１を１ページ単位でＳ２〜Ｓ１０の処理を繰り返し、原稿載置部２Ａに載置された送信原稿６１を全ページ読み取ると（Ｓ１０：ＹＥＳ）、ＣＰＵ１１は、各ページ単位で無線タグデータと画像データを結合し、ファクシミリデータ６３を生成する。
【０１００】
この時、ＣＰＵ１１は、送信原稿６１に付加されている無線タグ６２の受信側複写設定データに基づいて、相手先装置６０に送信されるファクシミリデータ６３を構成する無線タグデータの複写回数を設定する。即ち、送信原稿６１の相手先複写設定データにおいて、「１回設定」が設定されていれば、送信される無線タグデータの複写回数データを「複写回数：１回」に設定する。この点、「０回設定」の場合、ＣＰＵ１１は、送信される無線タグデータの複写回数データを「複写回数：０回」に設定し、「完全複製設定」の場合、「複写回数：送信原稿６１の元々の複写回数データから、送信する相手先の数を減算した回数」に設定する。
【０１０１】
上記処理を実行することにより、ファクシミリ装置１は、ページ単位で生成された送信原稿６１のファクシミリデータ６３を送信ファクシミリデータ記憶エリア１３１に記憶している状態となる。
尚、送信原稿６１のいずれのページからも無線タグデータが検出されなかった場合（Ｓ３：ＮＯ）は、無線タグデータを有さないファクシミリデータ６３が作成される。
【０１０２】
その後、Ｓ１１に移行すると、ＣＰＵ１１は、相手先情報入力処理（Ｓ１）で入力された相手先に対して、発呼を開始し、相手先装置６０との通信を開始する。
次に、ＣＰＵ１１は、相手先装置６０から「ＮＳＦ信号」を受信するまで処理を待機する。ここで、「ＮＳＦ信号」は、受信側装置から送信側装置へ送出されるファクシミリ制御信号であって、相手先装置６０の非標準機能（即ち、メーカ独自の機能）を相手先装置６０からファクシミリ装置１へ通知する信号である。
【０１０３】
「ＮＳＦ信号」を受信すると（Ｓ１２）、ＣＰＵ１１は、当該送信原稿６１に係る無線タグデータがあるか否かを判断する（Ｓ１３）。具体的には、ＣＰＵ１１は、送信無線タグデータサイズ記憶エリア１３２を参照することにより、Ｓ１３の判断を行う。当該送信原稿６１に係る無線タグデータが存在する場合（Ｓ１３：ＹＥＳ）、ＣＰＵ１１は、Ｓ１６に処理を移行する。一方、当該送信原稿６１に係る無線タグデータが存在しない場合（Ｓ１３：ＮＯ）、ＣＰＵ１１は、Ｓ１４に処理を移行する。
【０１０４】
Ｓ１４に移行すると、ＣＰＵ１１は、当該送信原稿６１に係るファクシミリデータ６３を相手先装置６０に対して送信する。この場合におけるファクシミリデータ６３は、送信原稿６１に係る無線タグデータが存在しないので、画像データのみで構成されている。ここで行われるのは、通常のファクシミリデータの送信であり、１ページ分のファクシミリデータ６３を送信すると、ＣＰＵ１１は、Ｓ１５に処理を移行する。
【０１０５】
Ｓ１５においては、ＣＰＵ１１は、送信原稿６１の全てのページを相手先装置６０へ送信したか否かを判断する。送信原稿６１の全ページを相手先装置６０に送信した場合（Ｓ１５：ＹＥＳ）、ＣＰＵ１１は、ファックス送信処理プログラムを終了する。一方、未だ送信原稿６１の全ページ分を相手先装置６０に送信していない場合（Ｓ１５：ＮＯ）、ＣＰＵ１１は、Ｓ１４に処理を戻し、次のページに係る送信原稿６１の送信を行う。
【０１０６】
そして、送信原稿６１に無線タグデータが存在し（Ｓ１３：ＹＥＳ）、Ｓ１６に移行すると、ＣＰＵ１１は、Ｓ１２で受信した「ＮＳＦ信号」に基づいて、相手先装置６０に「無線タグデータ受信能力」があるか否かを判断する。相手先装置６０が「無線タグデータ受信能力」を有している場合（Ｓ１６：ＹＥＳ）、ＣＰＵ１１は、無線タグデータ送信可能フラグ１３３をオンとし、Ｓ１７に処理を移行する。一方、相手先装置６０に「無線タグデータ受信能力」がない場合（Ｓ１６：ＮＯ）、ＣＰＵ１１は、無線タグデータ送信可能フラグ１３３をオフにし、Ｓ２１に処理を移行する。
【０１０７】
相手先装置６０に「無線タグデータ受信能力」がある場合に移行するＳ１７では、ＣＰＵ１１は、「ＮＳＳ信号」を相手先装置６０へ送信する。この「ＮＳＳ信号」は、送信側装置から受信側装置へ送出されるファクシミリ制御信号であって、送信側装置が有している非標準機能に関する設定を、相手先装置へ通知するための信号である。
【０１０８】
ここで、本実施形態のファクシミリ装置１において、この「ＮＳＳ信号」は、ファクシミリデータ６３に含まれる無線タグデータのサイズ６４を示すサイズ情報を含んでいる。従って、「ＮＳＳ信号」を相手先装置６０に通知することで、ファクシミリ装置１は、これから送信するファクシミリデータに無線タグデータがあり、そのファクシミリデータ６３に係る無線タグデータのサイズ情報を相手先装置６０に通知することができる。この通知に基づいて、相手先装置６０では、無線タグデータと画像データを区分することができる。
【０１０９】
相手先装置６０に「ＮＳＳ信号」を送信した後、ＣＰＵ１１は、送信ファクシミリデータ記憶エリア１３１から１ページ分のファクシミリデータ６３を読み出し、相手先装置６０に対して、１ページ分の送信原稿６１に係るファクシミリデータ６３を送信する（Ｓ１８）。このＳ１８で送信されるファクシミリデータ６３は、無線タグデータと画像データにより構成されている。
尚、無線タグデータのサイズ情報を送信原稿６１の１ページ単位で通知するように構成することも可能である。
【０１１０】
ファクシミリデータ６３を相手先装置６０に送信した後、ＣＰＵ１１は、Ｓ１９に処理を移行する。Ｓ１９では、ＣＰＵ１１は、Ｓ１８で送信した１ページ分のファクシミリデータ６３をＲＡＭ１３から消去する。これにより、ＲＡＭ１３内に送信済のファクシミリデータ６３が残存することはないので、ファクシミリ装置１は、当該ファクシミリデータ６３が残されたままで、何等かの操作により、ＲＡＭ１３から出力されることを確実に防止することができる。即ち、送信原稿６１に関する情報管理を確実に行い得る。
【０１１１】
ファクシミリ送信済のファクシミリデータ６３を消去した後、ＣＰＵ１１は、送信原稿６１の全ページ分のファクシミリ送信が完了したか否かを判断する（Ｓ２０）。全ページ分のファクシミリデータを送信している場合には（Ｓ２０：ＹＥＳ）、ＣＰＵ１１は、ファクシミリ送信処理プログラムを終了する。一方、未だ全ページ分のファクシミリ送信を完了していない場合（Ｓ２０：ＮＯ）、ＣＰＵ１１は、Ｓ１８に処理を戻し、次のページに係るファクシミリ送信を実行する。
【０１１２】
続いて、相手先装置６０に「無線タグデータ受信能力」がない場合（Ｓ１６：ＮＯ）における処理について説明する。この場合、ＣＰＵ１１は、相手先装置６０に「無線タグデータ受信能力がない」旨をＬＣＤ１８に表示し、「当該送信原稿６１を相手先装置６０に送信するか否か」を問い合わせる表示を行う。ユーザは、当該問い合わせに対して、操作パネル１７による操作を行うことで、当該相手先装置６０への送信実行又は送信中止を選択する。
【０１１３】
Ｓ２１においては、ＣＰＵ１１は、相手先装置６０に「無線タグデータ受信能力」がない場合でも、送信原稿６１に係るデータの送信を行うか否かを判断する。即ち、ＣＰＵ１１は、上記ＬＣＤ１８の表示に対して、ユーザが行う操作パネル１７の操作に基づいて入力される指示情報により、Ｓ２１の判断を行う。送信原稿６１の送信実行が選択された場合（Ｓ２１：ＹＥＳ）、ＣＰＵ１１は、Ｓ２２に処理を移行する。尚、タグ送信不能設定データの詳細設定において、「送信禁止設定」が設定されている場合、Ｓ２１では、送信中止が選択されたものとして取り扱われる。
【０１１４】
一方、送信原稿６１の送信中止が選択された場合（Ｓ２１：ＮＯ）、ＣＰＵ１１は、Ｓ２７に処理を移行する。Ｓ２７に移行すると、ＣＰＵ１１は、当該送信原稿６１に係るファクシミリデータ６３を送信データ保存メモリ１４１に保存する。当該送信原稿６１のファクシミリデータを送信データ保存メモリ１４１に格納した後、ＣＰＵ１１は、Ｓ２６に処理を移行する。このような経緯により、ファクシミリデータ６３が保存されていることを、ＬＣＤ１８に表示するように構成してもよい。
【０１１５】
Ｓ２２に移行すると、ＣＰＵ１１は、当該送信原稿６１に係る無線タグデータを参照し、画像加工処理を実行するか否かを判断する。即ち、ＣＰＵ１１は、無線タグデータのタグ送信不能設定データの詳細設定を参照し、「加工送信設定」が設定されているか否かに基づいて、Ｓ２２の判断を行う。「加工送信設定」が設定されている場合（Ｓ２２：ＹＥＳ）、ＣＰＵ１１は、Ｓ２３に処理を移行する。一方、「加工送信設定」が設定されていない場合（Ｓ２２：ＮＯ）、ＣＰＵ１１は、Ｓ２４に処理を移行する。
【０１１６】
Ｓ２３に移行すると、ＣＰＵ１１は、画像加工処理を実行する。画像加工処理（Ｓ２３）は、当該送信原稿６１に係る画像データを所定の加工処理を施す処理である。具体的に本実施形態においては、ＣＰＵ１１は、画像加工処理として、画像データの画質を落とす処理を行う。スキャナ部３で読み取られた画像データに基づいて、画質を落とした画像データ（以下、加工済画像データという）を生成し、加工済画像データをファクシミリデータ６３として再設定する。
【０１１７】
尚、画像加工処理（Ｓ２３）で実行される画像の加工態様は、画質を落とす処理に限定されるものではない。例えば、スキャナ部３で読み取られたカラー画像の画像データをモノクロ画像に変換する処理であっても良いし、当該画像データの一部に識別マークを付加するように構成することも可能である。例えば、画質を落とした場合、相手先装置６０では、ファクシミリデータ６３に基づく印刷結果を確認することができても、その印刷結果を原稿としてファクシミリやコピーを行うと、更に画質が悪化したものとなる。これにより、相手先装置６０での更なるファクシミリデータ６３の流出に対して抑制がかかることになる。
【０１１８】
Ｓ２４に移行すると、ＣＰＵ１１は、ファクシミリデータ６３を相手先装置６０に対して送信する。尚、このＳ２４におけるファクシミリデータ６３は、画像データのみで構成されている。そして、画像加工処理（Ｓ２３）を経由した場合、当該ファクシミリデータ６３は、加工済画像データにより構成され、画像加工処理を経由しない場合（Ｓ２２：ＮＯ）、当該ファクシミリデータ６３は、スキャナ部３で読み取られた画像データそのもので構成される。
【０１１９】
続くＳ２５においては、ＣＰＵ１１は、送信したファクシミリデータ６３をＲＡＭ１３から消去する。これにより、ＲＡＭ１３内に送信済のファクシミリデータ６３が残存することはないので、ファクシミリ装置１は、当該ファクシミリデータ６３の情報管理を確実に行い得る。送信済のファクシミリデータ６３を消去した後、ＣＰＵ１１は、Ｓ２６に処理を移行する。
【０１２０】
ファクシミリ送信済のファクシミリデータ６３を消去した後、ＣＰＵ１１は、送信原稿６１の全ページ分のファクシミリ送信が完了したか否かを判断する（Ｓ２６）。全ページ分のファクシミリデータを送信している場合には（Ｓ２６：ＹＥＳ）、ＣＰＵ１１は、ファクシミリ送信処理プログラムを終了する。一方、未だ全ページ分のファクシミリ送信を完了していない場合（Ｓ２６：ＮＯ）、ＣＰＵ１１は、Ｓ１８に処理を戻し、次のページに係るファクシミリ送信を実行する。
【０１２１】
次に、ファクシミリ装置１のファックス受信処理プログラムについて、図面を参照しつつ詳細に説明する。図８は、ファックス受信処理プログラムのフローチャートである。
図８に示すように、このファックス受信処理は、当該ファクシミリ装置１に対する着信があり、送信元ファクシミリ装置（図示せず）との間における通信が開始される（Ｓ５１）と実行される。
【０１２２】
Ｓ５２に移行すると、ＣＰＵ１１は、送信元ファクシミリ装置に対して、「ＮＳＦ信号」を送信する。上述したように、「ＮＳＦ信号」は、当該ファクシミリ装置１が有する非標準機能（即ち、「無線タグデータ受信能力」を有すること）を示す信号である。送信元ファクシミリ装置に「ＮＳＦ信号」を送信し、「無線タグデータ受信能力」等の自装置が有する能力に関する情報を通知した後、ＣＰＵ１１は、Ｓ５３に処理を移行する。
【０１２３】
その後、ＣＰＵ１１は、送信元ファクシミリ装置からの「ＮＳＳ信号」を受信するまで、処理を待機する。送信元ファクシミリ装置から「ＮＳＳ信号」を受信すると、ＣＰＵ１１は、「ＮＳＳ信号」に含まれるサイズ情報を取得し、サイズ情報記憶エリア１３５（図２参照）に格納する（Ｓ５３）。
【０１２４】
Ｓ５４に移行すると、ＣＰＵ１１は、「ＮＳＳ信号」に含まれるサイズ情報に基づいて、受信データに無線タグデータが含まれているか否かを判断する。受信データに無線タグデータが含まれている場合（Ｓ５４：ＹＥＳ）、ＣＰＵ１１は、Ｓ５５に処理を移行する。一方、受信データに無線タグデータが含まれていない場合（Ｓ５４：ＮＯ）、ＣＰＵ１１は、Ｓ５６に処理を移行する。
【０１２５】
Ｓ５５では、ＣＰＵ１１は、受信データの受信を行いつつ、当該無線タグデータを区分し、ＲＡＭ１３に格納する。
【０１２６】
上述したように、受信データであるファクシミリデータ６３は、無線タグデータ、画像データの順に送信される。従って、当該ファクシミリデータ６３を受信する場合、ファクシミリ装置１は、無線タグデータ、画像データの順に受信することになる。
ここで、ファクシミリ装置１は、Ｓ５５の時点で既に「ＮＳＳ信号」を受信しているので、「ＮＳＳ信号」に含まれるサイズ情報により、当該ファクシミリデータ６３の無線タグデータのデータサイズを把握することができる。従って、受信データの先頭からサイズ情報に相当する分のデータが、無線タグデータに相当する。
【０１２７】
つまり、Ｓ５５において、ＣＰＵ１１は、受信データの受信を行いつつ、サイズ情報が示すサイズ分のデータを受信した時点で、既に受信したデータを「無線タグデータ」として区分する。そして、ＣＰＵ１１は、区分した無線タグデータを、その無線タグデータが付加されていたページを識別可能な情報を付加して、ＲＡＭ１３内の受信ファクシミリデータ記憶エリア１３４に格納する。無線タグデータを受信、格納した後、ＣＰＵ１１は、Ｓ５６に処理を移行する。このＳ５５におけるＣＰＵ１１は、本発明における区分手段に相当する。
【０１２８】
続くＳ５６では、ＣＰＵ１１は、受信データを構成する画像データを受信する。この点、受信データに無線タグデータが含まれていた場合、Ｓ５５で区分された後に受信したデータが画像データに相当する。画像データを受信すると、ＣＰＵ１１は、受信ファクシミリデータ記憶エリア１３４に格納し、Ｓ５７に処理を移行する。
この点、受信データに無線タグデータが含まれていない場合（Ｓ５４：ＮＯ）、受信データは、全て画像データとなる。従って、この場合には、無線タグデータの区分は行われず、受信データに係る画像データは、受信ファクシミリデータ記憶エリア１３４に格納される。
【０１２９】
尚、本実施形態においては、受信データの受信を行いつつ、サイズ情報に基づいて、無線タグデータと、画像データの区分を行っているが、この態様に限定するものではない。即ち、受信データを全て受信した後、サイズ情報に従って、無線タグデータと、画像データを区分するように構成することも可能である。
【０１３０】
Ｓ５７に移行すると、ＣＰＵ１１は、全ページ分の受信データの受信を完了したか否かを判断する。全ページ分の受信データを受信した場合（Ｓ５７：ＹＥＳ）、ＣＰＵ１１は、Ｓ５８に処理を移行する。一方、未だ全ページ分の受信データの受信を完了していない場合（Ｓ５７：ＮＯ）、ＣＰＵ１１は、Ｓ５４に処理を戻し、次のページに係る受信データの受信を継続する。
【０１３１】
続くＳ５８においては、ＣＰＵ１１は、ファクシミリ装置１の設定を参照し、「転送モード」が有効であるか否かを判断する。ここで、「転送モード」とは、当該ファクシミリ装置１が受信したファクシミリデータを既定の転送先に送信するモードである。この「転送モード」の有効・無効は、当該ファクシミリ装置１のユーザにより、予め設定されている。「転送モード」が有効な場合（Ｓ５８：ＹＥＳ）、ＣＰＵ１１は、Ｓ５９に処理を移行する。一方、「転送モード」が無効である場合（Ｓ５８：ＮＯ）、ＣＰＵ１１は、Ｓ６３に処理を移行する。
【０１３２】
Ｓ５９に移行すると、ＣＰＵ１１は、受信データに係る無線タグデータを参照する。そして、ＣＰＵ１１は、当該無線タグデータに含まれる転送設定データにおいて、受信データの転送が許可されているか否かを判断する。転送設定データが「転送許可」を示す場合（Ｓ５９：ＹＥＳ）、ＣＰＵ１１は、「転送モード」において既定されている転送先に対して、当該受信データを転送する（Ｓ６０）。既定の転送先に受信データを転送した後、ＣＰＵ１１は、転送した受信データを消去し（Ｓ６２）、ファックス受信処理プログラムを終了する。
【０１３３】
尚、Ｓ５９の判断処理において、ＣＰＵ１１は、受信データに転送設定データが含まれていない場合（つまり、無線タグデータとして転送設定データがされていない場合や無線タグデータが存在しない場合）を、当該受信データを「転送許可」が設定されているものとして取り扱う。
【０１３４】
一方、転送設定データが「転送禁止」を示す場合（Ｓ５９：ＮＯ）、ＣＰＵ１１は、受信データ（無線タグデータ及び画像データ）をフラッシュメモリ１４に保存する（Ｓ６１）。受信データの転送を行わずに、フラッシュメモリ１４に保存した後、ＣＰＵ１１は、ファックス受信処理プログラムを終了する。
【０１３５】
ここで、ファクシミリ装置１において、「転送モード」が無効である場合（Ｓ５８：ＮＯ）について説明する。Ｓ６３に移行すると、ＣＰＵ１１は、受信データに含まれる無線タグデータを記録可能であるか否かを判断する。具体的には、ＣＰＵ１１は、検出センサ５４により、第１給紙トレイ５１〜第３給紙トレイ５３により記録用紙における無線タグ７２の有無及び無線タグ７２の記録可能容量を検出し、当該検出結果に基づいて判断する。
【０１３６】
無線タグデータの記録が可能である場合（Ｓ６３：ＹＥＳ）、ＣＰＵ１１は、Ｓ６４に処理を移行する。一方、無線タグデータの記録が不能である場合（Ｓ６３：ＮＯ）、ＣＰＵ１１は、受信データ（１ページ分の無線タグデータ及び画像データ）を、ＲＡＭ１３から読み出して、フラッシュメモリ１４に保存する（Ｓ６８）。受信データを保存した後、ＣＰＵ１１は、Ｓ６７に処理を移行する。
【０１３７】
一方、Ｓ６４に移行すると、ＣＰＵ１１は、受信データに含まれていた無線タグデータをＲＡＭ１３から読み出して、第１給紙トレイ５１〜第３給紙トレイ５３から記録用紙７１を搬送しつつ、無線タグライタ１６により、無線タグ７２に書き込む。これにより、無線タグ７２には、受信データに含まれていた無線タグデータの内容（即ち、複写回数データ等）が格納される。
当該無線タグデータを無線タグ７２に書き込んだ後、ＣＰＵ１１は、Ｓ６５に処理を移行する。
【０１３８】
Ｓ６５においては、ＣＰＵ１１は、先に書き込まれた無線タグデータに対応する受信画像データ記録処理を実行する。受信画像データ記録処理（Ｓ６５）は、無線タグデータがすでに書き込まれている記録用紙７１に対して、レーザプリンタ３０により、受信データに係る画像データに基づく画像を記録用紙７１に形成する処理である。この点、レーザプリンタ３０による画像データに基づく画像の形成に関しては、既に公知であるため、その説明は省略する。
受信画像データ記録処理（Ｓ６５）を終了すると、ＣＰＵ１１は、Ｓ６６に処理を移行する。尚、上記説明では、無線タグライタ１６とレーザプリンタ３０との配置の都合上、無線タグ７２に先にデータが書き込まれたが、この順序は変更可能である。
【０１３９】
その後、ＣＰＵ１１は、無線タグ７２に対する書込を終了した無線タグデータ及び記録用紙７１への記録を終了した画像データをＲＡＭ１３の受信ファクシミリデータ記憶エリア１３４から消去する（Ｓ６６）。１ページ分の無線タグデータ及び画像データを消去した後、ＣＰＵ１１は、Ｓ６７に処理を移行する。
【０１４０】
Ｓ６７に移行すると、ＣＰＵ１１は、受信データを構成する全てのページに対する処理を完了したか否かを判断する。全ページに対する処理を完了している場合（Ｓ６７：ＹＥＳ）、ＣＰＵ１１は、ファックス受信処理プログラムを終了する。一方、未だ全てのページに対する処理を完了していない場合（Ｓ６７：ＮＯ）、ＣＰＵ１１は、Ｓ６３に処理を戻し、次のページに対する処理を実行する。
【０１４１】
以上説明したように、本実施形態のファクシミリ装置１によれば、送信原稿６１の送信に際し、無線タグ６２に書き込まれている複写回数データに基づいて、当該送信原稿６１の送信の可否が決定される。即ち、複写回数データの複写回数が相手先件数以上の場合（Ｓ５：ＹＥＳ）にのみ、当該送信原稿６１の送信が行われるので、ファクシミリ装置１は、送信原稿６１に係る情報の流出を確実に制御・管理することができる。
【０１４２】
又、ファクシミリ装置１では、相手先件数が送信原稿６１に係る複写回数を超える場合にＬＣＤ１８に回数エラー表示を行う。これにより、ユーザは、自らが指定した相手先件数に対して、送信原稿６１の複写回数が足りなかったことを把握することができるので、送信原稿６１の送信について適切な対応をとることができる。
【０１４３】
更に、ファクシミリ装置１は、送信原稿６１を送信する際に、無線タグデータとして無線タグ６２に格納されている複写回数データを、当該送信原稿６１の送信態様（即ち、相手先件数や、相手先複写設定データ）に基づいて更新する。これにより、当該送信原稿６１自体から流出しうる情報についても、適宜制御・管理しうる。
【０１４４】
又、ファクシミリ装置１によれば、相手先複写設定データにおいて、「完全複製設定」が設定されている場合、送信原稿６１の複写回数データは、「複写回数：０回」に更新される（Ｓ７）。これにより、当該送信原稿６１は、常に相手先件数よりも複写回数が小さくなるため、ファクシミリ装置１により送信することはできない。つまり、ファクシミリ装置１は、当該送信原稿６１からの情報の流出を防止することができ、厳密な情報管理を行い得る。
【０１４５】
そして、ファクシミリ装置１は、相手先装置６０に「無線タグデータ受信能力」がある場合には、相手先装置６０に複写回数データを送信する。これにより、相手先装置６０で記録された記録用紙７１においても、無線タグ７２に複写回数データが書き込まれる。
即ち、ファクシミリ装置１によれば、相手先装置６０側においても、複写回数に基づいて情報の流出に関する制御・管理を行うことができ、相手先に対してもユーザ所望の情報管理を行いうる。
【０１４６】
又、ファクシミリ装置１は、送信原稿６１の無線タグデータに「０回設定」がなされている場合、相手先装置６０に対して、「複写回数：０回」の複写回数データを含む無線タグデータを送信する。これにより、相手先装置６０で記録される記録用紙７１の無線タグ７２には、「複写回数：０回」の無線タグデータが書き込まれる。この結果、相手先装置６０で記録された記録用紙７１は、無線タグリーダ１５により読み出される情報が「複写回数：０回」であるため、複写及びファクシミリ送信ができない状態となる。従って、当該ファクシミリ装置１は、相手先からの情報の流出を防止することができ、相手先に対しても、送信側ユーザ所望の情報管理を行いうる。
【０１４７】
そして、ファクシミリ装置１は、相手先装置６０に「無線タグデータ受信能力」がない場合（Ｓ１６：ＮＯ）、操作パネル１７による選択、タグ送信不能設定データの内容に基づいて、ファクシミリデータ６３の送信を禁止し、送信データ保存メモリ１４１に保存する処理（Ｓ２７）や、当該ファクシミリデータ６３の画像データのみを送信する処理（Ｓ２４）を行い得る。これにより、ファクシミリ装置１は、「無線タグ送信データ受信能力」のない相手先に対する送信の要否を適宜選択することができ、送信しようとする画像データの内容や状況に応じた情報管理が可能となる。
【０１４８】
更に、ファクシミリ装置１は、相手先装置６０に「無線タグデータ受信能力」がない場合（Ｓ１６：ＮＯ）、送信原稿６１のタグ送信不能設定データにおいて、「加工送信設定」が設定されていることを条件に、画像加工処理（Ｓ２３）を実行する。これにより、ファクシミリデータ６３を構成する画像データは、スキャナ部３により読み取られた画像データを加工したデータになる。この結果、ファクシミリ装置１は、受信した情報の流出に関する制御・管理が困難な相手先には、原稿に係る画像データに対して所定の加工が施された画像データが送信されるので、相手先が無線タグ送信データの受信能力を有していない場合でも送信原稿６１に基づく画像データに関する情報管理を行うことができる。
【０１４９】
又、ファクシミリ装置１は、無線タグデータに「転送設定データ」が含まれている場合、当該相手先装置６０に対して、当該「転送設定データ」を含む無線タグデータを送信する。つまり、相手先装置６０側で記録された記録用紙７１の転送の許可又は禁止を、送信側ユーザが設定することができる。この結果、ファクシミリ装置１は、相手先装置６０で記録された記録用紙７１が、送信側ユーザの意に反して、原稿に基づく画像データが転送される事態を防止でき、送信原稿６１に基づく画像データに関する情報管理を十分に行い得る。
【０１５０】
又、ファクシミリ装置１によれば、送信原稿６１に対する複写回数データの更新（Ｓ７）と、相手先装置６０に送信される無線タグデータの設定を、各ページ単位で実行する。つまり、ファクシミリ装置１は、送信原稿６１の複写回数データに基づく画像データの流出に関する情報管理を、１ページ単位で行うことができるので、送信原稿６１に対する情報管理を厳密に行うことができる。
【０１５１】
そして、ファクシミリ装置１は、検出センサ５４により、記録用紙７１に無線タグ７２が付加されていることを検出すると（Ｓ６３：ＹＥＳ）、送信元ファクシミリ装置からの受信データに基づいて、画像データをレーザプリンタ３０で記録用紙７１に記録すると共に、無線タグデータを無線タグ７２に書き込む。そして、検出センサ５４により、無線タグ７２を検出できない場合（Ｓ６３：ＮＯ）、受信データをフラッシュメモリ１４に保存する（Ｓ６８）。これにより、ファクシミリ装置１は、画像データのみが記録用紙７１に記録される事態を防止することができ、原稿送信側の意に反する受信データの流出を防止することができる。
【０１５２】
又、ファクシミリ装置１は、送信元ファクシミリ装置からの受信データが無線タグデータを含み、当該無線タグデータが複写回数データを含む場合、当該複写回数データを無線タグ７２に書き込む（Ｓ６４）。これにより、ファクシミリ装置１が受信側となる場合に、ファクシミリ装置１は、記録用紙７１の複写を制限する送信元ユーザの意図に沿った情報（受信データ）の流出に関する制御・管理を行い得る。
【０１５３】
そして、ファクシミリ装置１は、「転送モード」が有効であって、受信データに含まれる転送設定データが「転送許可」を示す場合、「転送モード」により既定された転送先に受信データを転送し、転送したデータを消去する（Ｓ６０、Ｓ６２）。これにより、ファクシミリ装置１は、送信側の意図に沿って、受信データの転送を実行するので、送信側の意に反した受信データの流出を防止し得る。また、受信データをそのまま転送するので、送信側が送信原稿６１に基づく画像データを伝達したい相手まで確実に当該受信データを送信できる。
【０１５４】
そして、ファクシミリ装置１は、「転送モード」が有効であって、受信データに含まれる転送設定データが「転送禁止」を示す場合、「転送モード」により既定された転送先への転送を行わず、受信データをフラッシュメモリ１４に保存する（Ｓ６１）。つまり、ファクシミリ装置１によれば、受信データの転送を行うことはないので、送信側の意に沿った受信データの流出に関する制御・管理を行い得る。また、当該受信データはフラッシュメモリ１４に格納されるので、送信側ユーザが指定した相手先は、後に当該受信データを確認することができる。
【０１５５】
以上、実施形態に基づき本発明を説明したが、本発明は上述した実施形態に何ら限定されるものではなく、本発明の趣旨を逸脱しない範囲内で種々の改良変更が可能である。
例えば、本実施形態のファクシミリ装置１では、無線タグリーダ１５、無線タグライタ１６、スキャナ装置２２、レーザプリンタ３０が全てファクシミリ装置１の内部構成として設けられていたが、これらがファクシミリ装置１に対し、ケーブルなどを介して接続された外付けの構成であっても良い。
【０１５６】
そして、本実施形態のファクシミリ装置１では、自動原稿送り装置２によって送信原稿６１の画像データが読み取られるものとして説明したが、フラットベッド方式で画像データを読み取るファクシミリ装置にも、本発明を適用可能である。
【０１５７】
さらに、本実施形態においては、記録用紙と無線タグとが一体に形成されている場合を例として説明したが、これに限定されるものではない。例えば、受信側の装置構成によっては、記録用紙と無線タグとが別体となっている場合も想定される。その場合、ファクシミリ受信処理で画像データとそれに対応する無線タグデータとが受信されると、画像データについては通常の記録用紙に記録され、無線タグデータについては別体の無線タグに書き込まれる。
【０１５８】
このような別体の無線タグは、ラベルのように裏面に接着部分を備えており、無線タグデータの書き込み後に自動、もしくは手動により対応する画像データが記録された記録用紙に添付されるような方式であってもよい。これによっても、結果的に、記録用紙に無線タグが付加された出力結果を得ることができる。同様に、送信側においても、原稿と無線タグとは必ずしも一体である必要はなく、ページ毎の対応が管理できていれば、別々に読み取られる構成であってもよい。
【図面の簡単な説明】
【０１５９】
【図１】本実施形態に係るファクシミリ装置の模式的な断面図を示す。
【図２】ファクシミリ装置の制御系構成を示すブロック図である。
【図３】（ａ）は、本実施形態に係るファクシミリ装置によるファクシミリ送受信を模式的に示す図であり、（ｂ）は、１ページ分のファクシミリデータを模式的に示す図である。
【図４】（ａ）は、無線タグの構成を示すブロック図であり、（ｂ）は、無線タグリーダ及び無線タグライタの構成を示すブロック図である。
【図５】無線タグデータに含まれる各種データに関する説明図である。
【図６】ファクシミリ送信処理を示すフローチャート（１）である。
【図７】ファクシミリ送信処理を示すフローチャート（２）である。
【図８】ファクシミリ受信処理を示すフローチャートである。
【符号の説明】
【０１６０】
１    ファクシミリ装置
３    スキャナ部
１１  ＣＰＵ
１２  ＲＯＭ
１３  ＲＡＭ
１４  フラッシュメモリ
１５  無線タグリーダ
１６  無線タグライタ
１７  操作パネル
１８  ＬＣＤ
１９  ＮＣＵ
２０  モデム
２１  バッファ
２２  スキャナ装置
３０  レーザプリンタ
５４  検出センサ
６０  相手先装置
６１  送信原稿
６２  無線タグ
７１  記録用紙
７２  無線タグ
【図１】
2008244880.tif 000003
【図２】
2008244880.tif 000004
【図３】
2008244880.tif 000005
【図４】
2008244880.tif 000006
【図５】
2008244880.tif 000007
【図６】
2008244880.tif 000008
【図７】
2008244880.tif 000009
【図８】
2008244880.tif 000010